(57)【要約】【課題】頻繁に伝送される下りリンク共用制御チャネルＰＤＣＣＨに、稀にしか発生しない上りリンク同期要求を配置する領域を確保すると、無線リソースの利用効率が悪くなるということ。【解決手段】移動通信システムにおける移動局装置であって、無線リソースの割当て情報が配置される領域を含む下りリンク制御チャネルを基地局装置から受信する手段と、ランダムアクセス指示を表す情報を下りリンク制御チャネルの所定の領域から検出し、下りリンク制御チャネルからランダムアクセスに使用可能な無線フレーム上の領域を指定する情報を検出したとき、この領域を指定する情報で指定された無線フレーム上の領域でランダムアクセス用のプリアンブルを基地局装置に送信する手段とを備え、所定の領域は無線リソースの割当て情報が配置される領域を含むことを特徴とする。【選択図】図４
2010011477.tif 000002
【特許請求の範囲】
【請求項１】
移動通信システムにおける移動局装置であって、
無線リソースの割当て情報が配置される領域を含む下りリンク制御チャネルを基地局装置から受信する手段と、
ランダムアクセス指示を表す情報を前記下りリンク制御チャネルの所定の領域から検出し、前記下りリンク制御チャネルからランダムアクセスに使用可能な無線フレーム上の領域を指定する情報を検出したとき、前記領域を指定する情報で指定された無線フレーム上の領域でランダムアクセス用のプリアンブルを前記基地局装置に送信する手段と
を備え、
前記所定の領域は前記無線リソースの割当て情報が配置される領域を含む
ことを特徴とする移動局装置。
【請求項２】
移動通信システムにおける基地局装置であって、
無線リソースの割当て情報が配置される領域を含む下りリンク制御チャネルを移動局装置へ送信する手段と、
前記移動局装置からのランダムアクセス用のプリアンブルを検出する手段と
を備え、
前記移動局装置へランダムアクセスを指示するときは、前記送信する手段は、ランダムアクセス指示を表す情報を前記下りリンク制御チャネルの所定の領域に含め、前記下りリンク制御チャネルにランダムアクセスに使用可能な無線フレーム上の領域を指定する情報を含めて前記移動局装置に送信し、
前記検出する手段は、前記領域を指定する情報で指定された無線フレーム上の領域で前記移動局装置から送信される前記ランダムアクセス用のプリアンブルを検出し、
前記所定の領域は前記無線リソースの割当て情報が配置される領域を含む
ことを特徴とする基地局装置。
【請求項３】
移動通信システムにおける移動局装置の処理方法であって、
前記移動局装置が、無線リソースの割当て情報が配置される領域を含む下りリンク制御チャネルを基地局装置から受信するステップと、
前記移動局装置が、ランダムアクセス指示を表す情報を前記下りリンク制御チャネルの所定の領域から検出し、前記下りリンク制御チャネルからランダムアクセスに使用可能な無線フレーム上の領域を指定する情報を検出したとき、前記領域を指定する情報で指定された無線フレーム上の領域でランダムアクセス用のプリアンブルを前記基地局装置に送信するステップ
を備え、
前記所定の領域は前記無線リソースの割当て情報が配置される領域を含む
ことを特徴とする移動局装置の処理方法。
【請求項４】
移動通信システムにおける基地局装置の処理方法であって、
前記基地局装置が、無線リソースの割当て情報が配置される領域を含む下りリンク制御チャネルを移動局装置へ送信するステップと、
前記基地局装置が、前記移動局装置からのランダムアクセス用のプリアンブルを検出するステップ
を備え、
前記移動局装置へランダムアクセスを指示するときは、前記送信するステップにて、前記基地局装置が、ランダムアクセス指示を表す情報を前記下りリンク制御チャネルの所定の領域に含め、前記下りリンク制御チャネルに専用シグネチャの識別番号を含めて前記移動局装置に送信し、
前記検出するステップにて、前記基地局装置は、前記領域を指定する情報で指定された無線フレーム上の領域で前記移動局装置から送信される前記ランダムアクセス用のプリアンブルを検出し、
前記所定の領域は前記無線リソースの割当て情報が配置される領域を含む
ことを特徴とする基地局装置の処理方法。
【発明の詳細な説明】
【技術分野】
【０００１】
本発明は、基地局装置、移動局装置およびそれらの処理方法、特に、移動局装置から基地局装置への上りリンクについて時間同期を行う基地局装置、移動局装置およびその処理方法に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡ（High Speed Downlink Packet Access：高速下りパケット接続）も標準化され、サービスが開始されようとしている。
【０００３】
一方、３ＧＰＰでは、第三世代無線アクセスの進化（Evolved Universal Terrestrial Radio Access；以下、「ＥＵＴＲＡ」という）が検討されている。ＥＵＴＲＡの下りリンクとして、ＯＦＤＭ（Orthogonal Frequency Division Multiplexing；直交周波数分割多重）方式が提案されている。また、ＥＵＴＲＡの上りリンクとして、ＤＦＴ（Discrete Fourier Transform；離散フーリエ変換）−ｓｐｒｅａｄ  ＯＦＤＭ方式のシングルキャリア通信方式が提案されている。
【０００４】
図１５は、ＥＵＴＲＡの上りリンクおよび下りリンクのチャネル構成を示す図である。
ＥＵＴＲＡの下りリンクは、下りリンクパイロットチャネルＤＰｉＣＨ（Downlink Pilot Channel）、下りリンク同期チャネルＤＳＣＨ（Downlink Synchronization Channel）、下りリンク共通制御チャネル、下りリンク共用制御チャネルＰＤＣＣＨ（Physical Downlink Control Channel）（Ｌ１／Ｌ２（Ｌａｙｅｒ１／Ｌａｙｅｒ２）制御チャネル）、下りリンク共用データチャネルＤＬ−ＳＣＨ（Downlink-Shared Channel）により構成されている。
また、ＥＵＴＲＡの上りリンクは、上りリンクパイロットチャネルＵＰｉＣＨ（Uplink Pilot Channel）、ランダムアクセスチャネルＲＡＣＨ（Random Access Channel）、上りリンク共用データチャネルＵＬ−ＳＣＨ（Uplink-Shared Channel）、上りリンク共用制御チャネルＰＵＣＣＨ（Physical Uplink Control Channel）により構成されている（非特許文献１を参照）。
【０００５】
図１６は、ランダムアクセスチャネルＲＡＣＨと、上りリンク共用データチャネルＵＬ−ＳＣＨとの無線リソース上への配置例を示した図である。図１６に示す図は、横軸に時間をとり、縦軸に周波数をとっている。図１６は、１つの無線フレームの構成を示しており、この無線フレームは複数の無線リソースに分割される。この例では、無線リソースは、周波数方向に１．２５ＭＨｚ、時間方向に１ｍｓの領域を単位として構成され、これらの領域に、図１５にて説明したランダムアクセスチャネルＲＡＣＨと、上りリンク共用データチャネルＵＬ−ＳＣＨとが図示のように割当てられている。このように、ランダムアクセスチャネルＲＡＣＨの最小単位は、１．２５ＭＨｚの帯域を使用する。なお、図１６において、上りリンクパイロットチャネルＵＰｉＣＨは、上りリンク共用データチャネルＵＬ−ＳＣＨの領域内に、シンボル単位、サブキャリア単位で分散して配置される。また、ＥＵＴＲＡでは、ランダムアクセスチャネルＲＡＣＨ用に、複数のチャネルを用意しているので、同時に複数のランダムアクセスに対応できる。ランダムアクセスチャネルＲＡＣＨの使用目的のうちの最大のものは、移動局装置−基地局装置間を同期させることである。また、ランダムアクセスチャネルＲＡＣＨでは、無線リソースを割当てるスケジューリングのリクエストなどの数ビットの情報も送信して、接続時間を短くすることも考慮されている（非特許文献２を参照）。
【０００６】
ランダムアクセスチャネルＲＡＣＨでは、同期をとるためにプリアンブルのみを送信する。プリアンブルには、情報を表す信号パターンであるシグネチャが含まれている。数十種類のシグネチャを用意しておき、これらの中から選択して用いることで、数ビットの情報を表現することができる。現在、ＥＵＴＲＡでは、シグネチャにより６ビットの情報を送信する。この６ビットのために、２の６乗の６４種類のシグネチャが用意される。
シグネチャによる６ビットのうち、５ビットにランダムＩＤを割当て、残りの１ビットにランダムアクセスの理由、下りリンクのパスロス／ＣＱＩ（Ｃｈａｎｎｅｌ  Ｑｕａｌｉｔｙ  Ｉｎｄｉｃａｔｏｒ）などのいずれかの情報を割当てる（非特許文献３を参照）。
【０００７】
図１７は、ランダムアクセスチャネルＲＡＣＨを用いた上りリンク同期のシーケンス例を示すシーケンス図である。まず、移動局装置が、ランダムＩＤ、ランダムアクセスの理由、下りリンクのパスロス／ＣＱＩ情報などに基づき、シグネチャを選択し、ランダムアクセスチャネルＲＡＣＨで、該シグネチャを含むプリアンブルを送信する（メッセージＭａ１）。基地局装置は、移動局装置からのプリアンブルを受信すると、予めプリアンブルとして記憶している信号パターンとこの受信したプリアンブルを比較することで、移動局装置−基地局装置間の同期タイミングずれを算出し、Ｌ２／Ｌ３（Ｌａｙｅｒ２／Ｌａｙｅｒ３）メッセージを送信するためスケジューリングを行い、プリアンブルに含まれるランダムアクセス理由からセル内移動局識別情報Ｃ−ＲＮＴＩ（Cell Radio Network Temporary Identifier）が必要な移動局装置にはＣ−ＲＮＴＩを割当て、同期タイミングずれ情報、スケジューリング情報、Ｃ−ＲＮＴＩおよびランダムＩＤを含んだプリアンブル応答を送信する（メッセージＭａ２）。移動局装置は、送信したランダムＩＤが含まれる基地局装置からのプリアンブル応答を抽出して、スケジューリングされた無線リソースでＬ２／Ｌ３メッセージを送信する（メッセージＭａ３）。基地局装置は、移動局装置からのＬ２／Ｌ３メッセージを受信して、移動局装置間で衝突が起こっているかどうか判断するためのコンテンションレゾリューションを移動局装置に送信する（メッセージＭａ４）（非特許文献３を参照）。
【０００８】
ランダムアクセスでは、複数の移動局装置が、シグネチャおよびランダムアクセスチャネルＲＡＣＨとして同じものを選択した場合に、これらの移動局装置のランダムアクセスは衝突してしまう。ランダムアクセスが衝突したときのシーケンスを、図１７を参照して説明する。複数の移動局装置が、同じシグネチャを選択し、同じ時間・周波数を有する無線リソースブロック、すなわち同じランダムアクセスチャネルＲＡＣＨを用いてプリアンブルを送信した場合、メッセージＭａ１で衝突が発生する。この衝突により、基地局装置がメッセージＭａ１を検出できない場合、基地局装置は、プリアンブル応答（メッセージＭａ２）を返すことができない。移動局装置は、基地局装置からのプリアンブル応答（メッセージＭａ２）を受信できないので、一定期間の後、再度、シグネチャ、ランダムアクセスチャネルＲＡＣＨを選択し、ランダムアクセスを行う。また、衝突が起きていても、基地局装置が、プリアンブル（メッセージＭａ１）を検出できた場合、基地局装置は、Ｌ２／Ｌ３メッセージスケジューリングと同期タイミングずれを算出し、移動局装置にプリアンブル応答（メッセージＭａ２）を返す。しかし、このプリアンブル応答については、複数の移動局装置が受信することになり、複数の移動局装置が、スケジューリングされたリソースにＬ２／Ｌ３メッセージ（メッセージＭａ３）の送信を行うので、メッセージＭａ３で衝突が発生する。基地局装置は、この衝突によりＬ２／Ｌ３メッセージを受信できず、応答を返せない。Ｌ２／Ｌ３メッセージの応答がないので、移動局装置は、再度、シグネチャを選択し、ランダムアクセスを行う。
【０００９】
移動局装置と基地局装置との間の上りリンク同期が外れた状態（例えば、長い期間データの送受信がなく、移動局装置が長い周期で下りリンクリソース割当ての信号を監視しているＤＲＸ（Discontinuous Reception）状態）の場合、基地局装置からの下りリンクのデータ送信が再開されると、移動局装置は、ハイブリッド自動再送ＨＡＲＱ（Hybrid Automatic Repeat Request）のための受信応答であるＡＣＫ／ＮＡＣＫ（Acknowledgement / Negative Acknowledgement）を送信することができない。なぜなら、上りリンク同期が外れているので、ハイブリッド自動再送ＨＡＲＱのＡＣＫ／ＮＡＣＫを送信すると、他の移動局装置に対して干渉してしまうためである。よって、下りリンクのデータ送信再開の際に、ランダムアクセスを用いた上りリンク同期をとる必要がある。しかし、このランダムアクセスを行う際に衝突が発生してしまったときに、下りリンクのデータ送信が再開されるまでに長い時間がかかることが懸念されている。これを回避するために、下りリンクのデータ送信再開用のシグネチャを用いるなどして、下りリンクのデータ送信再開時のランダムアクセスにおいて、衝突を発生させないような提案が行われている。
【００１０】
図１８は、下りリンクのデータ送信再開のランダムアクセスにおいて、衝突を発生させないようにしたシーケンスを示す図である。
基地局装置は、上りリンク同期が外れた状態の移動局装置への下りリンクのデータ送信再開を決定すると、その移動局装置に対して、上りリンク同期要求を送信する（メッセージＭｂ１）。この上りリンク同期要求は、Ｌ１／Ｌ２（Ｌａｙｅｒ１／Ｌａｙｅｒ２）制御チャネルを使って送信される。上りリンク同期要求の中には、移動局装置が送信するべきランダムアクセスのシグネチャＩＤ番号が含まれている。これを専用シグネチャと呼ぶ。移動局装置は、上りリンク同期要求で受信した専用シグネチャを使って、ランダムアクセスを行う、すなわちプリアンブルを送信する（メッセージＭｂ２）。専用シグネチャを含んだプリアンブルを受信した基地局装置は、このプリアンブルにより同期タイミングのずれを検出する。そして、基地局装置は、移動局装置に対して、同期タイミングのずれを示すＴＡ（Timing Advance）コマンドをプリアンブル応答として送信する（メッセージＭｂ３）。基地局装置は、ＴＡコマンドを送信すると、下りリンクリソース割当てを含むＬ１／Ｌ２制御チャネルを送り（メッセージＭｂ４）、続いて、下りリンクのデータ送信を再開する（メッセージＭｂ５）（非特許文献４を参照）。
【先行技術文献】
【非特許文献】
【００１１】
【非特許文献１】Ｒ１−０５０８５０  “Ｐｈｙｓｉｃａｌ  Ｃｈａｎｎｅｌ  ａｎｄ  Ｍｕｌｔｉｐｌｅｘｉｎｇ  ｉｎ  Ｅｖｏｌｖｅｄ  ＵＴＲＡ  Ｕｐｌｉｎｋ”，３ＧＰＰ  ＴＳＧ  ＲＡＮ  ＷＧ１  Ｍｅｅｔｉｎｇ＃４２  Ｌｏｎｄｏｎ，ＵＫ，Ａｕｇｕｓｔ  ２９−Ｓｅｐｔｅｍｂｅｒ  ２，２００５
【非特許文献２】３ＧＰＰ  ＴＲ（Ｔｅｃｈｎｉｃａｌ  Ｒｅｐｏｒｔ）２５.８１４、Ｖ７.０.０（２００６−０６）、Ｐｈｙｓｉｃａｌ  ｌａｙｅｒ  ａｓｐｅｃｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＵＴＲＡ）
【非特許文献３】３ＧＰＰ  ＴＳ（Ｔｅｃｈｎｉｃａｌ  Ｓｐｅｃｉｆｉｃａｙｉｏｎ）３６．３００、Ｖ０．９０（２００７−０３）、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  ｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）、Ｏｖｅｒａｌｌ  ｄｅｓｃｒｉｐｔｉｏｎ  Ｓｔａｇｅ２
【非特許文献４】Ｒ２−０６２１６５  “ＵＬ  Ｓｙｎｃｈｒｏｎｉｓａｔｉｏｎ” ，３ＧＰＰ  ＴＳＧ  ＲＡＮ  ＷＧ２  Ｍｅｅｔｉｎｇ＃５４  Ｔａｌｌｉｎｎ，２８  Ａｕｇｕｓｔ−１  Ｓｅｐｔ，２００６
【発明の概要】
【発明が解決しようとする課題】
【００１２】
上述のランダムアクセスにおいて衝突を発生させないようにした下りリンクのデータ送信再開方法では、ハイブリッド自動再送ＨＡＲＱのＡＣＫ／ＮＡＣＫが不要な下りリンク共用制御チャネルＰＤＣＣＨ（Ｌ１／Ｌ２制御チャネル）を使って、上りリンク同期要求を送信する。下りリンク共用制御チャネルＰＤＣＣＨは、基地局装置と移動局装置との間でユーザーデータなどを送受信するための適応変調のパラメータやチャネルの割当て情報などを伝送するチャネルであるため、無線リソースに固定的に割当てられて頻繁に伝送されるチャネルである。
解決しようとする問題点は、このように頻繁に伝送される下りリンク共用制御チャネルＰＤＣＣＨに、稀にしか発生しない上りリンク同期要求を配置する領域を確保すると、無線リソースの利用効率が悪くなるという点である。
【課題を解決するための手段】
【００１３】
（１）この発明は上述した課題を解決するためになされたもので、本発明の移動局装置は、移動通信システムにおける移動局装置であって、無線リソースの割当て情報が配置される領域を含む下りリンク制御チャネルを基地局装置から受信する手段と、ランダムアクセス指示を表す情報を前記下りリンク制御チャネルの所定の領域から検出し、前記下りリンク制御チャネルからランダムアクセスに使用可能な無線フレーム上の領域を指定する情報を検出したとき、前記領域を指定する情報で指定された無線フレーム上の領域でランダムアクセス用のプリアンブルを前記基地局装置に送信する手段とを備え、前記所定の領域は前記無線リソースの割当て情報が配置される領域を含むことを特徴とする移動局装置。
【００１４】
（２）また、本発明の基地局装置は、移動通信システムにおける基地局装置であって、無線リソースの割当て情報が配置される領域を含む下りリンク制御チャネルを移動局装置へ送信する手段と、前記移動局装置からのランダムアクセス用のプリアンブルを検出する手段とを備え、前記移動局装置へランダムアクセスを指示するとき、前記送信する手段は、ランダムアクセス指示を表す情報を前記下りリンク制御チャネルの所定の領域に含め、前記下りリンク制御チャネルにランダムアクセスに使用可能な無線フレーム上の領域を指定する情報を含めて前記移動局装置に送信し、前記検出する手段は、前記領域を指定する情報で指定された無線フレーム上の領域で前記移動局装置から送信される前記ランダムアクセス用のプリアンブルを検出し、前記所定の領域は前記無線リソースの割当て情報が配置される領域を含むことを特徴とする。
【００１５】
（３）また、本発明の移動局装置の処理方法は、移動通信システムにおける移動局装置の処理方法であって、前記移動局装置が、無線リソースの割当て情報が配置される領域を含む下りリンク制御チャネルを基地局装置から受信するステップと、前記移動局装置が、ランダムアクセス指示を表す情報を前記下りリンク制御チャネルの所定の領域から検出し、前記下りリンク制御チャネルからランダムアクセスに使用可能な無線フレーム上の領域を指定する情報を検出したとき、前記領域を指定する情報で指定された無線フレーム上の領域でランダムアクセス用のプリアンブルを前記基地局装置に送信するステップとを備え、  前記所定の領域は前記無線リソースの割当て情報が配置される領域を含むことを特徴とする。
【００１６】
（４）また、本発明の基地局装置の処理方法は、移動通信システムにおける基地局装置の処理方法であって、前記基地局装置が、無線リソースの割当て情報が配置される領域を含む下りリンク制御チャネルを移動局装置へ送信するステップと、前記基地局装置が、前記移動局装置からのランダムアクセス用のプリアンブルを検出するステップとを備え、前記移動局装置へランダムアクセスを指示するとき、前記送信するステップにて、前記基地局装置が、ランダムアクセス指示を表す情報を前記下りリンク制御チャネルの所定の領域に含め、前記下りリンク制御チャネルに専用シグネチャの識別番号を含めて前記移動局装置に送信し、前記検出するステップにて、前記基地局装置は、前記領域を指定する情報で指定された無線フレーム上の領域で前記移動局装置から送信される前記ランダムアクセス用のプリアンブルを検出し、前記所定の領域は前記無線リソースの割当て情報が配置される領域を含むことを特徴とする。
【発明の効果】
【００１７】
本発明の基地局装置は、基地局装置と移動局装置との同期通信に用いるパラメータを配置する無線フレーム上の領域に、移動局装置に対する上りリンク同期要求を表す情報を配置するので、優れた無線リソースの利用効率が得られるように、上りリンク同期要求を配置することができるという利点がある。
【図面の簡単な説明】
【００１８】
【図１】この発明の一実施形態による上りリンクの同期が取れている移動局装置に対する下りリンク制御用の情報のフォーマットを示す図である。
【図２】同実施形態における上りリンクの同期が取れている移動局装置に対する上りリンク制御用の情報のフォーマットを示す図である。
【図３】同実施形態における上りリンク同期要求を含んだ下りリンク制御用の情報のフォーマットを示す図である。
【図４】同実施形態における基地局装置の構成を示す概略ブロック図である。
【図５】同実施形態における移動局装置の構成を示す概略ブロック図である。
【図６】基地局装置が専用シグネチャを含んだ上りリンク同期要求を送信した場合の手順を説明するシーケンス図である。
【図７】同実施形態における基地局装置が専用シグネチャを送信しない場合の手順を説明するシーケンス図である。
【図８】同実施形態における移動局装置が、下りリンク共用制御チャネルＰＤＣＣＨの巡回冗長検査ＣＲＣチェックを失敗した場合の手順を説明するシーケンス図である。
【図９】同実施形態における移動局装置が、下りリンク共用制御チャネルＰＤＣＣＨの巡回冗長検査ＣＲＣチェックを失敗した場合の図８とは異なるもう一つの手順を説明するシーケンス図である。
【図１０】同実施形態における基地局装置の上りリンク同期要求送信処理の処理手順を示すフローチャートである。
【図１１】同実施形態における基地局装置のランダムアクセス受信処理手順の処理手順を示すフローチャートである。
【図１２】同実施形態における移動局装置の上りリンク同期管理処理の処理手順を示すフローチャートである。
【図１３】同実施形態の変形例として上りリンク同期要求を上りリンク制御用の情報の領域に配置した場合のフォーマットを示す図である。
【図１４】同実施形態の変形例として上りリンク同期要求を下りリンク制御用の情報の領域に配置した場合のフォーマットを示す図である。
【図１５】従来のＥＵＴＲＡにおける上りリンクおよび下りリンクのチャネル構成を示す図である。
【図１６】従来のＥＵＴＲＡにおけるランダムアクセスチャネルＲＡＣＨと、上りリンク共用データチャネルＵＬ−ＳＣＨとの無線リソース上への配置例を示した図である。
【図１７】従来のＥＵＴＲＡにおけるランダムアクセスチャネルＲＡＣＨを用いた上りリンク同期のシーケンス例を示すシーケンス図である。
【図１８】従来のＥＵＴＲＡにおける下りリンクのデータ送信再開のランダムアクセスにおいて、衝突を発生させないようにしたシーケンスを示す図である。
【発明を実施するための形態】
【００１９】
以下、図面を参照して、本発明の実施の形態について説明する。本実施形態における無線通信システムは、第三世代無線アクセスの進化ＥＵＴＲＡと同様に、基地局装置と複数の移動局装置とからなる。本実施形態において、移動局装置から基地局装置への通信接続を「上りリンク」といい、基地局装置から移動局装置への通信接続を「下りリンク」という。本実施形態における下りリンクは、下りリンクパイロットチャネルＤＰｉＣＨ、下りリンク同期チャネルＤＳＣＨ、下りリンク共通制御チャネル、下りリンク共用制御チャネルＰＤＣＣＨ（Ｌ１／Ｌ２（Ｌａｙｅｒ１／Ｌａｙｅｒ２）制御チャネル）、下りリンク共用データチャネルＤＬ−ＳＣＨにより構成されている。また、本実施形態における上りリンクは、上りリンクパイロットチャネルＵＰｉＣＨ、ランダムアクセスチャネルＲＡＣＨ、上りリンク共用データチャネルＵＬ−ＳＣＨにより構成されている。
【００２０】
ランダムアクセスチャネルＲＡＣＨとは、ガードタイムを持つ上りリンクのチャネルである。このため、上りリンクについて基地局装置との時間の同期が取れていない移動局装置が、このランダムアクセスチャネルＲＡＣＨを用いて送信しても、該移動局装置の同期ずれがこのガードタイムの範囲内であれば、他のチャネルに対して干渉を起こすことなく送信することができる。このランダムアクセスチャネルＲＡＣＨにて送信するプリアンブルに含めるシグネチャは、６４個のシグネチャから選択可能である。移動局装置は、これら６４個のシグネチャの中から一つを選択し、プリアンブルに含めて送信する。
【００２１】
下りリンク共用制御チャネルＰＤＣＣＨ（Ｌ１／Ｌ２制御チャネル）は、各無線フレームに固定した領域が割当てられており、その領域は、下りリンク制御用と上りリンク制御用に分けられる。この下りリンク制御用の領域と、上りリンク制御用の領域とには、移動局装置毎の下りリンク制御用の情報と、上りリンク制御用の情報とが各々配置される。
基地局装置が送信したこれらの制御用の情報の中から、移動局装置は、自装置を対象とした情報を受信する。これらの制御用の情報には、各移動局装置に対するリソース（周波数と時間とで決まる無線フレーム上の領域）割当ての情報、適応変調のパラメータ、ハイブリッド自動再送ＨＡＲＱなど、基地局装置と移動局装置とのデータ通信（同期通信）に用いるパラメータが含まれている。
【００２２】
図１は、上りリンクの同期が取れている移動局装置に対する下りリンク制御用の情報のフォーマットを示す図である。この下りリンク制御用の情報は、図１に示すように、下りリンクリソース割当て（１２ビット：下りリンクについて移動局装置に割当てられたリソース位置を示す）、ＭＣＳ（Modulation and Coding Scheme；変調及び符号化方式）情報（３ビット：変調方式、符号化方式を指定する）、ＭＩＭＯ（Multiple Input Multiple Output）情報（２ビット：アンテナ本数などを指定する）、ペイロードサイズ（５ビット：下りリンクで割当てられたリソース内に含まれるペイロードのサイズ）、ＨＡＲＱ情報（５ビット）、Ｃ−ＲＮＴＩ（Cell specific Radio Network Temporary Identity：セル内移動局識別情報）（１６ビット：基地局装置内において移動局装置を識別するための移動局装置識別情報）で構成されている。この下りリンク制御用の情報の巡回冗長検査ＣＲＣ（Cyclic Redundancy Check）は、Ｃ−ＲＮＴＩと兼用されている。すなわち、該領域を含んだ下りリンク制御用の情報について、巡回冗長検査ＣＲＣを算出すると、その値がＣ−ＲＮＴＩとなる。移動局装置は、各下りリンク制御用の情報について、巡回冗長検査ＣＲＣを算出し、その結果が自装置のＣ−ＲＮＴＩであるか否かに基づき、該下りリンク制御用の情報が自装置に対する情報であるか否かを判定する。
【００２３】
図２は、上りリンクの同期が取れている移動局装置に対する上りリンク制御用の情報のフォーマットを示す図である。上りリンク制御用の情報は、図２に示すように、上りリンクリソース割当て（１０ビット：上りリンクについて移動局装置に割当てられたリソース位置を示す）、ＭＣＳ情報（３ビット：変調方式、符号化方式を指定する）、ペイロードサイズ（５ビット：下りリンクで割当てられたリソース内に含まれるペイロードのサイズ）、ＲＳＦ（Reference Signal Format）（２ビット：リファレンス信号送信フォーマット）、ＴＰＣ（Transmission Power Control：送信電力制御）（４ビット：送信電力）、Ｃ−ＲＮＴＩで構成されている。この上りリンク制御用の情報の巡回冗長検査ＣＲＣは、Ｃ−ＲＮＴＩと兼用されている。すなわち、図１の下りリンク制御用の情報のときと同様に、巡回冗長検査ＣＲＣを算出し、その結果が自装置のＣ−ＲＮＴＩであるか否かに基づき、自装置に対する情報であるか否かを判定する。
【００２４】
図３は、上りリンク再同期が必要なとき、すなわち上りリンク再同期要因が検出されたときに送信される、上りリンク同期要求を含んだ下りリンク制御用の情報のフォーマットを示す図である。上りリンク同期要求を含む下りリンク制御用の情報は、図３に示すように、同期が取れているときにリソース割当ての情報を配置している先頭の領域１２ビットに「リソース割当てなし」を表す情報を配置する。移動局装置は、この「リソース割当てなし」を表す情報を検出すると、その下りリンク制御用の情報は上りリンク同期要求であると判定する。この「リソース割当てなし」の領域に続いて、リザーブ領域を３ビット配置する。このリザーブ領域には、下りリンク制御用の情報にて上りリンク同期要求以外の情報を伝送可能とするときに、伝送する情報を識別する値を配置するようにしてもよい。
【００２５】
このリザーブ領域の次の「種別」には、シグネチャの種別を示す情報の領域を２ビット配置する。シグネチャの種別とは、専用シグネチャなのか、ランダムシグネチャかを示す。ここで、専用シグネチャは、基地局装置から上りリンク同期要求にて指定された移動局装置のみがランダムアクセスに用いるシグネチャである。この「種別」の領域の次の「シグネチャ」には、シグネチャの種別が専用シグネチャのときにシグネチャＩＤ番号を指定する領域を６ビット配置する。その次の「フレーム番号」には、シグネチャの種別が専用シグネチャのときに、「シグネチャ」の領域で指定したシグネチャＩＤ番号を使用可能な無線フレーム領域を指定する領域を４ビット配置する。予め有効期間などが仕様で定義されている場合は、使用可能無線フレーム領域を信号する必要はない。その次の「Ｃ−ＲＮＴＩ」は、上りリンクの同期が取れているときと同様に、この下りリンク制御用の情報が対象としている移動局装置識別情報を指定する領域であり、巡回冗長検査ＣＲＣを兼ねる領域を１６ビット配置する。図１の下りリンク制御用の情報のときと同様に、巡回冗長検査ＣＲＣを算出し、その結果が自装置のＣ−ＲＮＴＩであるか否かに基づき、自装置に対する情報であるか否かを判定する。
【００２６】
図１と図３に示したように、下りリンク制御用の情報は、上りリンクの同期が取れているときと、上りリンクの再同期が必要で上りリンク同期要求を送信するときとで、同じビット数の情報となっている。下りリンク共用制御チャネルＰＤＣＣＨの下りリンク制御用の領域には、図１と図３に示したような下りリンク制御用の情報が、合計で予め決められた数だけ配置される。配置される下りリンク制御用の情報のうち、図１に示した上りリンクの同期が取れているときの情報と、図３に示した上りリンク同期要求を送信するときの情報との数の構成は、そのときの通信状態に応じた構成となる。すなわち、上りリンクの同期が取れているときの下りリンク制御用の情報を配置する領域に、上りリンクの再同期が必要なときに上りリンク同期要求を送信する下りリンク制御用の情報を配置する。
【００２７】
図４は、基地局装置の構成を示す概略ブロック図である。基地局装置は、データ制御部１０、ＯＦＤＭ変調部１１、スケジューリング部１２、チャネル推定部１３、ＤＦＴ−Ｓ−ＯＦＤＭ復調部１４、制御データ抽出部１５、プリアンブル検出部１６、シグネチャ管理部１７、無線部１９、上位層部３０を具備する。スケジューリング部１２は、ＤＬスケジューリング部２０、ＵＬスケジューリング部２１を具備する。なお、本実施形態においては、チャネル推定部１３とＵＬスケジューリング部２１とは、各々、各移動局装置の上りリンク再同期要因を検出する再同期要因検出部として機能する。また、ＯＦＤＭ変調部１１１と無線部１９とで、送信部として機能する。データ制御部１０は、上位層部３０から受けたユーザーデータと制御データとをスケジューリング部１２からの指示により、制御データを下りリンク共通制御チャネル、下りリンク同期チャネル、下りリンクパイロットチャネル、下りリンク共用制御チャネルＰＤＣＣＨにマッピングし、各移動局装置に対する送信データを下りリンク共用データチャネルＤＬ−ＳＣＨにマッピングする。また、データ制御部１０は、上りリンク制御用の情報と、下りリンク制御用の情報とをスケジューリング部１２から受け、下りリンク共用制御チャネルＰＤＣＣＨにマッピングする。すなわち、ＯＦＤＭ変調部１１は、データ制御部１０が各チャネルにマッピングしたデータを、データ変調、直列／並列変換、ＩＦＦＴ（Ｉｎｖｅｒｓｅ  Ｆａｓｔ  Ｆｏｕｒｉｅｒ  Ｔｒａｎｓｆｏｒｍ：逆高速フーリエ）変換、ＣＰ（Ｃｙｃｌｉｃ  Ｐｒｅｆｉｘ）挿入、フィルタリングなどＯＦＤＭ信号処理を行い、ＯＦＤＭ信号を生成する。無線部１９は、ＯＦＤＭ変調部１１が生成したＯＦＤＭ変調信号を無線周波数にアップコンバートして、アンテナを介して移動局装置に送信する。
【００２８】
また、無線部１９は、移動局装置からの上りリンクの信号をアンテナを介して受信し、ベースバンド信号にダウンコンバートした受信信号をＤＦＴ−Ｓ−ＯＦＤＭ復調部１４、チャネル推定部１３およびプリアンブル検出部１６に渡す。チャネル推定部１３は、受信信号中の上りリンクパイロットチャネルＵＰｉＣＨから無線伝搬路特性を推定し、ＤＦＴ−Ｓ−ＯＦＤＭ復調部１４に、この推定結果を渡す。また、チャネル推定部１３は、上りリンクのスケジューリングを行う為に、この推定結果をスケジューリング部１２に渡す。
さらに、上りリンクの同期のずれを検知し、上りリンク同期が必要な場合にスケジューリング部１２に報告する。尚、上りリンクの通信方式は、ＤＦＴ−ｓｐｒｅａｄ  ＯＦＤＭ等のようなシングルキャリア方式を想定しているが、ＯＦＤＭ方式のようなマルチキャリア方式でもかまわない。
【００２９】
ＤＦＴ−Ｓ−ＯＦＤＭ復調部１４は、チャネル推定部１３から受けた無線伝搬路特性と、制御データ抽出部１５から受けたリソース割当て情報や適応変調のパラメータの情報などとを用いて、無線部１９から受けた受信信号を復調して、受信データを得る。制御データ抽出部１５では、受信データをユーザーデータ（上りリンク共用データチャネルＵＬ−ＳＣＨ）と制御データ（上りリンク共用制御チャネルＰＵＣＣＨ）に分離する。制御データ抽出部１５は、制御データの中で下りリンクのＣＱＩ情報はスケジューリング部１２に出力し、その他の制御データとユーザーデータは上位層部３０に渡す。
【００３０】
スケジューリング部１２は、前述のように下りリンクのスケジューリングを行うＤＬスケジューリング部２０と上りリンクのスケジューリングを行うＵＬスケジューリング部２１を具備する。ＤＬスケジューリング部２０は移動局装置から通知されるＣＱＩ情報や上位層部３０から通知される各ユーザーデータのスケジューリング情報から下りリンクの各チャネルにユーザーデータをマッピングする為のスケジューリングを行う。ＤＬスケジューリング部２０はスケジューリング結果に基づき、図１に示した同期が取れている移動局装置に対する下りリンク制御用の情報を生成し、データ制御部１０に出力する。ＵＬスケジューリング部２１は、チャネル推定部１３からの上りリンクの無線伝搬路推定結果と移動局装置からのリソース割当て要求から上りリンクの各チャネルにユーザーデータをマッピングする為のスケジューリングを行う。ＵＬスケジューリング部２１はスケジューリング結果に基づき、図２に示した同期が取れている移動局装置に対する上りリンク制御用の情報を生成し、データ制御部１０に出力する。
【００３１】
また、ＵＬスケジューリング部２１は、タイマーを使って各移動局装置の上りリンク同期状況を管理し、一定時間、上りリンクによる送受信の無かった移動局装置を上りリンク再同期要因発生として検出する。ＵＬスケジューリング部２１は、このタイマーにより検出した上りリンク再同期が必要な移動局装置およびチャネル推定部１３が検出した上りリンク再同期が必要な移動局装置について、上りリンク再同期要因の検出を上位層部３０に通知するとともに、これらの移動局装置各々の上りリンク同期要求を含んだ下りリンク制御用の情報を生成し、データ制御部１０に出力する。ＵＬスケジューリング部２１は、上りリンク同期要求を含んだ下りリンク制御用の情報を生成する際に、シグネチャ管理部１７から使用可能な専用シグネチャのシグネチャＩＤ番号を取得し、下りリンク制御用の情報に格納するとともに、シグネチャ管理部１７に、該シグネチャＩＤ番号を使用する移動局装置を識別する情報と、使用する無線フレーム番号とを登録する。
【００３２】
プリアンブル検出部１６は、無線部１９から受けた受信信号から同期ずれ測定用信号であるプリアンブルを検出し、さらに同期タイミングずれ量を算出する。プリアンブル検出部１６は、検出したプリアンブルから取得したシグネチャＩＤ番号（測定用信号識別情報）と、算出した同期タイミングずれ量とを上位層部３０に報告する。プリアンブル検出部１６は、取得したシグネチャＩＤ番号が、シグネチャ管理部１７から通知されたシグネチャの場合は、専用シグネチャフラグを１に設定し、シグネチャ管理部から通知されていないシグネチャの場合は、専用シグネチャフラグを０に設定する。また、プリアンブル検出部１６は、取得したシグネチャＩＤ番号が、シグネチャ管理部１７から通知されたシグネチャの場合は、シグネチャ管理部１７に通知されたシグネチャＩＤ番号のプリアンブルを検出したことを報告する。
【００３３】
シグネチャ管理部１７は、ＵＬスケジューリング部２１からの指示により、専用シグネチャを選択し、選択した専用シグネチャのＩＤ番号をＵＬスケジューリング部２１に通知する。また、選択したシグネチャをプリアンブル検出部１６に通知する。シグネチャ管理部１７は、専用シグネチャ選択の際は、使用している専用シグネチャのシグネチャＩＤ番号を確認し、使用している専用シグネチャを除いた中から選択する。シグネチャ管理部１７は、選択されたシグネチャＩＤ番号を使用中として登録し、プリアンブル検出部１６で検出されたシグネチャを保存内容から削除する。上位層部３０は、後述の図６から図１１で説明する手順を行うように基地局装置を制御する。
【００３４】
図５は、移動局装置の構成を示す概略ブロック図である。移動局装置は、データ制御部５０、ＤＦＴ−Ｓ−ＯＦＤＭ変調部５１、スケジューリング部５２、ＯＦＤＭ復調部５３、チャネル推定部５４、制御データ抽出部５５、同期補正部５６、プリアンブル生成部５７、シグネチャ選択部５８、無線部５９、上位層部６０を具備する。
ユーザーデータと制御データは、データ制御部５０に入力され、スケジューリング部５２からの指示により上りリンク共用データチャネルＵＬ−ＳＣＨにマッピングされる。ＤＦＴ−Ｓ−ＯＦＤＭ変調部５１は、データ制御部５０がマッピングしたデータを、データ変調、ＤＦＴ変換、サブキャリアマッピング、ＩＦＦＴ変換、ＣＰ（Ｃｙｃｌｉｃ  Ｐｒｅｆｉｘ）挿入、フィルタリングなどＤＦＴ−Ｓ−ＯＦＤＭ信号処理を行い、ＤＦＴ−Ｓｐｒｅａｄ−ＯＦＤＭ信号を生成する。上りリンクの通信方式は、ＤＦＴ−ｓｐｒｅｄ  ＯＦＤＭのようなシングルキャリア方式を想定しているが、ＯＦＤＭ方式のようなマルチキャリア方式でもかまわない。同期補正部５６は、制御データ抽出部５５から渡された同期情報から送信タイミングを決定し、ＤＦＴ−Ｓ−ＯＦＤＭ変調部５１から受けたＤＦＴ−Ｓｐｒｅａｄ−ＯＦＤＭ信号を、送信タイミングに合うように無線部５９に渡す。無線部５９は、無線制御部から指示された無線周波数に設定し、同期補正部５６から受けたＤＦＴ−Ｓｐｒｅａｄ−ＯＦＤＭ信号を無線周波数にアップコンバートし、アンテナを介して基地局装置に送信する。
【００３５】
また、無線部５９は、基地局装置からの下りリンクの信号を、アンテナを介して受信し、ベースバンド信号にダウンコンバートして、このベースバンド信号をＯＦＤＭ復調部５３とチャネル推定部５４とに渡す。チャネル推定部５４は、無線部５９から受けた信号中の下りリンクパイロットチャネルから無線伝搬路特性を推定し、ＯＦＤＭ復調部５３とスケジューリング部５２とに推定結果を渡す。また、チャネル推定部５４は、基地局装置に無線伝搬路特性の推定結果を通知する為にＣＱＩ（Channel Quality Indicator）情報に変換し、データ制御部５０にＣＱＩ情報を渡す。ＯＦＤＭ復調部５３は、チャネル推定部５４の無線伝搬路推定結果を用いて無線部５９から受けたベースバンド信号を復調し、受信データを得る。制御データ抽出部５５は、この受信データをユーザーデータと制御データに分離する。
【００３６】
制御データ抽出部５５は、分離した制御データの中から、自装置に対する上りリンク制御用の情報を抽出し、この情報をスケジューリング部５２に渡し、さらに、自装置に対する上りリンクの同期情報を抽出し、この情報は同期補正部５６に渡す。また、制御データ抽出部５５は、分離した制御データの中から自装置に対する下りリンク制御用の情報を抽出し、この情報が上りリンクの同期が取れている移動局装置に対する下りリンク制御用の情報のときは、該情報のリソース割当てで指示されたリソースのユーザーデータおよび制御データを、該情報の適応変調のパラメータで指示された変調方式でベースバンド信号から復調するように、ＯＦＤＭ復調部５３に指示する。一方、抽出した自装置に対する下りリンク制御用の情報が上りリンク同期要求を含んだ下りリンク制御用の情報のときは、該情報に従った同期ずれ計測用信号の送信を行うために、該情報を上位層部６０に渡す。また、これ以外の制御データとユーザーデータについても、上位層部６０に渡す。制御データ抽出部５５は、抽出した下りリンク制御用の情報が上りリンクの同期が取れている移動局装置に対する下りリンク制御用の情報であるか、上りリンク同期要求を含んだ下りリンク制御用の情報であるかを、該情報のリソース割当ての領域を参照し、割当てられているリソースが指定されているときは、上りリンクの同期が取れている移動局装置に対する下りリンク制御用の情報であると判定し、割当てられているリソースがないときは、上りリンク同期要求を含んだ下りリンク制御用の情報であると判定する。
【００３７】
シグネチャ選択部５８は、上位層部６０からの指示により、ランダムアクセスで使用するシグネチャＩＤ番号を選択し、選択したシグネチャＩＤ番号をプリアンブル生成部５７に渡す。プリアンブル生成部（測定用信号生成部）５７は、シグネチャ選択部５８が選択したシグネチャＩＤ番号でプリアンブル（同期ずれ測定用信号）を生成し、ＤＦＴ−Ｓ−ＯＦＤＭ変調部５１に渡す。スケジューリング部５２は、ＭＡＣ制御を行い、基地局装置から指示されたリソースを使ってデータを送受信することを制御する。また、タイマーを使って各移動局装置の上りリンク同期状況を管理する。上位層部６０は、後述の図６から図１２で説明する手順を行うように移動局装置を制御する。
【００３８】
本実施形態では、上りリンク再同期が必要な状態にある移動局装置への上りリンク同期要求の際、基地局装置は、下りリンク共用制御チャネルＰＤＣＣＨで上りリンク同期要求を送信する。移動局装置は、上りリンク同期要求に専用シグネチャが含まれている場合は、該専用シグネチャを用いた衝突なしランダムアクセスＲＡＣＨを送信する。以下に具体的に説明する。図６は、基地局装置が専用シグネチャを含んだ上りリンク同期要求を送信した場合の手順であり、図７は、基地局装置がランダムシグネチャを指定した上りリンク同期要求を送信した場合の手順であり、図８は、移動局装置が上りリンク同期要求を含んだ下りリンク共用制御チャネルＰＤＣＣＨを受信できなかった場合の手順である。
【００３９】
図６は、基地局装置が専用シグネチャを含んだ上りリンク同期要求を送信した場合の手順を説明するシーケンス図である。基地局装置は、移動局装置の上りリンク同期を管理している。基地局装置のＵＬスケジューリング部２１は、タイマーを設定し、ある一定期間、上りリンクの送信がない状態が継続した場合や、上りリンク同期情報の更新がない状態が継続した場合に、上りリンク再同期要因発生と判定する。また、チャネル推定部１３は、移動局装置からの上りリンクの送信データまたは送信信号を受信し、受信タイミングのずれを検知した場合に、上りリンク再同期要因発生と判定する。基地局装置は、上りリンク再同期が必要な移動局装置、すなわち上りリンク再同期要因発生と判定した移動局装置に対するデータ（送信データおよび受信データ）の到着を検知する、または、基地局装置が、上りリンク再同期要因発生と判定した移動局装置に対して上りリンク同期を継続させることを決定した際に、上りリンク同期要求を送信する。ＵＬスケジューリング部２１が、上りリンク同期要求を含んだ下りリンク制御用の情報を生成し、該情報を、データ制御部１０が下りリンク共用制御チャネルＰＤＣＣＨにマッピングして、送信する（信号６−１）。この上りリンク同期要求は、図３にて示したフォーマットを有する。この上りリンク同期要求には、ＵＬスケジューリング部２１がシグネチャ管理部１７から取得した専用シグネチャを指定する情報であるシグネチャＩＤ番号が含まれている。また、シグネチャ管理部１７に、該シグネチャＩＤ番号と送信先の移動局装置のＣ−ＲＮＴＩとを対応付けて格納する。
【００４０】
移動局装置の制御データ抽出部５５は、下りリンク共用制御チャネルＰＤＣＣＨの各下りリンク制御用の情報について巡回冗長検査ＣＲＣを算出して、自装置のＣ−ＲＮＴＩと一致するものを探し出し、自装置に対する下りリンク制御用の情報を正確に受信できたことを検知する。制御データ抽出部５５は、下りリンク制御用の情報のリソース割当て情報が、「リソース割当てなし」となっていることから該情報が上りリンク同期要求であることを検知する。上位層部６０は、この上りリンク同期要求を受けると、該上りリンク同期要求にて指定されたシグネチャＩＤ番号とフレーム番号とを、シグネチャ選択部５８に指定する。シグネチャ選択部５８は、指定されたシグネチャＩＤ番号の専用シグネチャを選択し、該専用シグネチャと、指定されたフレーム番号とを、プリアンブル生成部５７に指定する。プリアンブル生成部５７は、指定された専用シグネチャのプリアンブルを生成し、ＤＦＴ−Ｓ−ＯＦＤＭ変調部５１は、このプリアンブルを、指定されたフレーム番号の無線フレーム内のランダムアクセスチャネルＲＡＣＨを用いて送信する（信号６−２：メッセージ１）。
【００４１】
基地局装置のプリアンブル検出部１６は、ランダムアクセスチャネルでプリアンブルを検出すると、上位層部３０は該プリアンブルに対するプリアンブル応答を生成し、送信する（信号６−３：メッセージ２）。このとき基地局装置の上位層部３０は、プリアンブルから検出した専用シグネチャと、シグネチャ管理部１７の登録内容とを比較することにより、検出したプリアンブルの送信元の移動局装置を特定することが可能である。上位層部３０は、特定した移動局装置の識別情報であるＣ−ＲＮＴＩを、シグネチャ管理部１７から取得する。データ制御部１０は、プリアンブル応答を、下りリンク共用制御チャネルＰＤＣＣＨと下りリンク共用データチャネルＤＬ−ＳＣＨとに分けてマッピングする。下りリンク共用制御チャネルＰＤＣＣＨにマッピングする情報には、プリアンブル応答であることを識別するＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｌａｒｙ  Ｉｄｅｎｔｉｔｙ）かまたは、移動局装置を直接指定するセル内移動局識別情報Ｃ−ＲＮＴＩが含まれており、下りリンク共用データチャネルＤＬ−ＳＣＨには、同期ずれの補正量を指示する同期情報が含まれている。
【００４２】
ＲＡ−ＲＮＴＩが使用される場合には、下りリンク共用データチャネルＤＬ−ＳＣＨに、専用シグネチャまたはＣ−ＲＮＴＩが含まれる。移動局装置では、制御データ抽出部５５が専用シグネチャまたはＣ−ＲＮＴＩを検出することで、自装置に対するプリアンブル応答を検出する。制御データ抽出部５５は、このプリアンブル応答から同期情報を抽出し、該同期情報の指示に従った同期ずれの補正量を同期補正部５６に指示する。続いて、基地局装置から通常のデータ送信が再開される（信号６−４、信号６−５）。
【００４３】
図７は、基地局装置が専用シグネチャを送信しない場合の手順を説明するシーケンス図である。基地局装置は、移動局装置の上りリンク同期を管理している。基地局装置のＵＬスケジューリング部２１は、タイマーを設定し、ある一定期間、上りリンクの送信がない状態が継続した場合や、上りリンク同期情報の更新がない状態が継続した場合に、上りリンク再同期要因発生と特定する。または、チャネル推定部１３は、移動局装置からの上りリンクの送信データまたは送信信号を受信し、受信タイミングのずれを検知した場合に、上りリンク再同期要因発生と特定する。基地局装置は、上りリンク同期再同期が必要な移動局装置に対するデータ（送信データおよび受信データ）の到着を検知する、または、基地局装置が上りリンク再同期が必要な移動局装置に対して上りリンク同期を継続させることを決定した際に、上りリンク同期要求を送信する。ＵＬスケジューリング部２１が、上りリンク同期要求を含んだ下りリンク制御用の情報を生成し、該情報を、データ制御部１０が下りリンク共用制御チャネルＰＤＣＣＨにマッピングして、送信する（信号７−１）。ここで、上りリンク同期要求では、「種別」の領域にてランダムシグネチャを指定されており、これにより、専用シグネチャが割当てられないことを示している。
【００４４】
移動局装置の制御データ抽出部５５は、下りリンク共用制御チャネルＰＤＣＣＨの各下りリンク制御用の情報について巡回冗長検査ＣＲＣを算出して、自装置のＣ−ＲＮＴＩと一致するものを探し出し、自装置に対する下りリンク制御用の情報を正確に受信できたことを検知する。制御データ抽出部５５は、下りリンク制御用の情報のリソース割当て情報が、「リソース割当てなし」となっていることから該情報が上りリンク同期要求であることを検知する。上位層部６０は、この上りリンク同期要求を受けると、シグネチャ選択部５８にシグネチャの選択を指示する。シグネチャ選択部５８は、専用シグネチャ以外のシグネチャＩＤ番号のシグネチャをランダムに選択し、該シグネチャを含むプリアンブルの生成を、プリアンブル生成部５７に指示する。プリアンブル生成部５７は、指示されたシグネチャのプリアンブルを生成し、ＤＦＴ−Ｓ−ＯＦＤＭ変調部５１は、このプリアンブルをランダムアクセスチャネルＲＡＣＨを用いて送信する（信号７−２：メッセージ１）。
【００４５】
基地局装置のプリアンブル検出部１６は、ランダムアクセスチャネルでプリアンブルを検出すると、上位層部３０は該プリアンブルに対するプリアンブル応答を生成し、送信する（信号７−３：メッセージ２）。このとき基地局装置の上位層部３０は、シグネチャの検出では、移動局装置の特定ができない。データ制御部１０は、プリアンブル応答を、下りリンク共用制御チャネルＰＤＣＣＨと下りリンク共用データチャネルＤＬ−ＳＣＨとに分けてマッピングする。下りリンク共用制御チャネルＰＤＣＣＨには、プリアンブル応答であることを識別するＲＡ−ＲＮＴＩが含まれており、下りリンク共用データチャネルＤＬ−ＳＣＨには、同期情報とシグネチャのマッピング情報、シグネチャと新しいセル内移動局装置識別情報Ｃ−ＲＮＴＩ（Ｔ−Ｃ−ＲＮＴＩ）のマッピング情報、メッセージ２に対する移動局装置の応答であるメッセージ３を送信するためのスケジューリング情報が含まれている。
【００４６】
この時点で、基地局装置は、移動局装置が何を理由にランダムアクセスをしてきたのか把握できない。移動局装置は、メッセージ３のスケジューリング情報に従って、メッセージ３を送信する（信号７−４：メッセージ３）。メッセージ３には、送信元移動局装置を識別するセル内移動局装置識別情報Ｃ−ＲＮＴＩを含める。基地局装置は、Ｃ−ＲＮＴＩを含んだメッセージ３を受信すると、このメッセージ３が先に送信したスケジューリング情報に従って送信されていることから、信号７−１で指示された移動局装置からの応答であることを検知する。基地局装置は、このメッセージ３に対応するメッセージ１のプリアンブルで複数の移動局装置が同時に同じシグネチャを使った送信をしていた場合の衝突解決情報としてコンテンションレゾリューションを送信する（信号７−５：メッセージ４）。メッセージ４を配置した下りリンク共用制御チャネルＰＤＣＣＨには、メッセージ２で基地局装置が指定した新しいセル内移動局装置識別情報Ｔ−Ｃ−ＲＮＴＩが含まれており、下りリンク共用データチャネルＤＬ−ＳＣＨには、メッセージ３で基地局装置が検知した移動局装置識別情報が含まれる。続いて、基地局装置から通常のデータ送信が再開される。（信号７−６、信号７−７）
【００４７】
図８は、移動局装置が、下りリンク共用制御チャネルＰＤＣＣＨの巡回冗長検査ＣＲＣチェックを失敗した場合の手順を説明するシーケンス図である。基地局装置は、移動局装置の上りリンク同期を管理している。例えば、タイマーを設定し、ある一定期間、上りリンクの送信がない状態が継続した場合や、上りリンク同期情報の更新がない状態が継続した場合に、上りリンク再同期要因発生と特定する。または、移動局装置からの上りリンクの送信データまたは送信信号を受信し、受信タイミングのずれを検知した場合に、上りリンク再同期要因発生と特定する。基地局装置は、上りリンク再同期が必要な移動局装置に対するデータの到着を検知する、または、基地局装置が上りリンク再同期が必要な移動局装置に対して上りリンク同期を継続させることを決定した際に、上りリンク同期要求を送信する。上りリンク同期要求は、下りリンク共用制御チャネルＰＤＣＣＨで送信される（信号８−１）。
【００４８】
移動局装置の制御データ抽出部５５は、下りリンク共用制御チャネルＰＤＣＣＨの各下りリンク制御用の情報について巡回冗長検査ＣＲＣを算出して、自装置のＣ−ＲＮＴＩと一致するものを探し出すが、ここでは該当する移動局装置の受信状況が悪いなどの理由で、正確に受信できず、一致しなかったとする。移動局装置は、上りリンク同期要求を検知できないため、次の受信サイクルまで受信を停止し、再度下りリンク共用制御チャネルＰＤＣＣＨの受信動作を行う。基地局装置は、定められたウインドウタイム内に移動局装置からの応答（応答方法は、上記の図６〜図７の状況によって異なる）を得られない場合に、移動局装置が上りリンク同期要求を受信できなかったことを検知する。基地局装置は、移動局装置の非受信を検出すると、次の送信サイクルまで待機し、再度上りリンク再同期が必要な移動局装置に対する上りリンク同期要求手続を行う（信号８−２）。
【００４９】
図９は、移動局装置が、下りリンク共用制御チャネルＰＤＣＣＨの巡回冗長検査ＣＲＣチェックを失敗した場合の図８とは異なるもう一つの手順を説明するシーケンス図である。基地局装置は、移動局装置の上りリンク同期を管理している。例えば、タイマーを設定し、ある一定期間、上りリンクの送信がない状態が継続した場合や、上りリンク同期情報の更新がない状態が継続した場合に、上りリンク再同期要因発生と特定する。または、移動局装置からの上りリンクの送信データまたは送信信号を受信し、受信タイミングのずれを検知した場合に、上りリンク再同期要因発生と特定する。基地局装置は、上りリンク再同期が必要な移動局装置に対するデータの到着を検知する、または、基地局装置が上りリンク再同期が必要な移動局装置に対して上りリンク同期を継続させることを決定した際に、上りリンク同期要求を送信する。上りリンク同期要求は、下りリンク共用制御チャネルＰＤＣＣＨで送信される（信号９−１）。
【００５０】
移動局装置の制御データ抽出部５５は、下りリンク共用制御チャネルＰＤＣＣＨの各下りリンク制御用の情報について巡回冗長検査ＣＲＣを算出して、自装置のＣ−ＲＮＴＩと一致するものを探し出すが、ここでは該当する移動局装置の受信状況が悪いなどの理由で、正確に受信できず、一致しなかったとする。移動局装置は、上りリンク同期要求を検知できないため、次の上りリンクの送信を行ってしまう（信号９−２）。ここで上りリンクの送信とは、下りリンク共用制御チャネルＰＤＣＣＨで指定される動的な上りリンク送信ではなく、Ｌａｙｅｒ３レベルのＲＲＣシグナリングなどで予め送信方法、送信リソースなどが設定されている上りリンク共用データチャネルＵＬ−ＳＣＨで送信されるデータ送信や上りリンク共用制御チャネルＰＵＣＣＨで送信されるＣＱＩフィードバックチャネルなどの送信である。この上りリンクの送信を基地局装置が検出した場合に、移動局装置が上りリンク同期要求を受信できなかったことを検知する。基地局装置は、移動局装置の非受信を検出すると、再度上りリンク再同期が必要な移動局装置に対する上りリンク同期要求手続を行う（信号９−３）。ただし、信号９−２の上りリンクの送信は、上りリンク同期が取れていない移動局装置からの送信であるため、基地局装置がこの信号９−２を正確に検知できるかどうかは移動局装置の送信タイミングや無線状況に依存する。よって、このシーケンスは、図８で説明したシーケンスの補助的な役割として機能する。
【００５１】
図１０は、基地局装置の上りリンク同期要求送信処理の処理手順を示すフローチャートである。基地局装置では、ＵＬスケジューリング部２１またはチャネル推定部１３が上りリンクの再同期要因を検出して、上りリンク同期要求を送信することを決定すると（Ｓａ１）、ＵＬスケジューリング部２１は、専用シグネチャの割当てが可能かどうかを、シグネチャ管理部１７を参照して確認する。専用シグネチャを割当てることが可能な場合（Ｓａ２−Ｙｅｓ）、専用シグネチャを選択する（Ｓａ３）。次に、ＵＬスケジューリング部２１は、ステップＳａ３にて「種別」の領域に専用シグネチャを登録し、「シグネチャ」の領域に選択した専用シグネチャのシグネチャＩＤ番号を登録した上りリンク同期要求を含む下りリンク制御用の情報を生成し、この情報を、データ制御部１０が下りリンク共用制御チャネルＰＤＣＣＨにマッピングして送信する（Ｓａ４）。
【００５２】
一方、ステップＳａ２にて、専用シグネチャを割当てることが不可能な場合（Ｓａ２−Ｎｏ）、ＵＬスケジューリング部２１は、「種別」の領域にランダムシグネチャを登録した上りリンク同期要求を含む下りリンク制御用の情報を生成し、この情報を、データ制御部１０が下りリンク共用制御チャネルＰＤＣＣＨにマッピングして送信する（Ｓａ６）。ステップＳａ４もしくはステップＳａ６にて上りリンク同期要求を含む下りリンク制御用の情報を送信すると、上位層部３０は、予め定められたウインドウタイム以内、すなわち上りリンク同期要求の「フレーム番号」にて指定した無線フレームにて、プリアンブル検出部１６が、上りリンク同期要求に対する応答であるプリアンブルを受け取ったかどうかを判断し、受け取っていない場合は（Ｓａ５−Ｎｏ）、ステップＳａ２に戻って、もう一度、上りリンク同期要求の手順を行う。一方、ステップＳａ５にて、応答のプリアンブルを受け取ったと判定した場合は（Ｓａ５−Ｙｅｓ）、上りリンク同期要求送信処理の処理を終了する。
【００５３】
図１１は、基地局装置のランダムアクセス受信処理手順の処理手順を示すフローチャートである。基地局装置のプリアンブル検出部１６は、ランダムアクセスチャネルにて、プリアンブルを検知すると、シグネチャ管理部１７を参照して、そのプリアンブルのシグネチャが専用シグネチャか否かを判定する（Ｓｂ１）。このステップＳｂ１にて専用シグネチャと判定した場合は、プリアンブル検出部１６が、プリアンブルを検出した際に計測した同期ずれを上位層部３０に通知する。この同期ずれを受けた上位層部３０は、この同期ずれの同期情報を含むプリアンブル応答をデータ制御部１０に出力して送信し（Ｓｂ２）、ランダムアクセス受信処理を終了する。一方、ステップＳｂ１にて専用シグネチャでないと判定した場合は、上位層部３０は、同期情報と図７のメッセージ３のスケジューリング情報を含むプリアンブル応答をデータ制御部１０に出力して送信し（Ｓｂ３）、メッセージ３の受信処理に入る。メッセージ３を受信すると（Ｓｂ４）、これを受けた上位層部３０は、メッセージ３内に上りリンク同期要求の移動局装置のＣ−ＲＮＴＩが含まれるかどうかを確認する（Ｓｂ５）。それ以外の移動局装置のＣ−ＲＮＴＩや他のＩＤを検知した場合は、別要因のランダムアクセス処理を行う（Ｓｂ５−Ｎｏ）。上りリンク同期要求の移動局装置のＣ−ＲＮＴＩを検知した場合（Ｓｂ５−Ｙｅｓ）、上位層部３０は、図７のメッセージ４を生成して、データ制御部１０に出力して送信し（Ｓｂ６）、ランダムアクセス受信処理を終了する。
【００５４】
図１２は、移動局装置の上りリンク同期管理処理の処理手順を示すフローチャートである。移動局装置の制御データ抽出部５５は、下りリンク共用制御チャネルＰＤＣＣＨで自装置のＣ−ＲＮＴＩを検出すると（Ｓｃ１）、リソース割当ての領域が「リソース割当てなし」であるか否かを判定し、上りリンク同期要求かどうかを識別する（Ｓｃ２）。このステップＳｃ２にて上りリンク同期要求ではないと判定した場合（Ｓｃ２−Ｎｏ）、通常のデータ送受信を行う。一方、ステップＳｃ２にて上りリンク同期要求であると判定した場合（Ｓｃ２−Ｙｅｓ）、制御データ抽出部５５からこの上りリンク同期要求を受けた上位層部６０は、上りリンク同期要求の種別の領域からシグネチャの種別を示す情報を取得し、専用シグネチャを含んでいるかどうかを判定するとともに（Ｓｃ３）、上りリンクの送信を停止する。
【００５５】
ステップＳｃ３にて、専用シグネチャが含まれていると判定した場合は（Ｓｃ３−Ｙｅｓ）、上位層部６０は、シグネチャ選択部５８を介してプリアンブル生成部５７に専用シグネチャのプリアンブル送信を指示する。プリアンブル生成部５７は指示された専用シグネチャのプリアンブルを生成し、ＤＦＴ−Ｓ−ＯＦＤＭ変調部５１に出力して送信する（Ｓｃ４）。移動局装置は、専用シグネチャでプリアンブルを送信すると、該プリアンブルに対する応答である図６のメッセージ２を受信する（Ｓｃ５）。制御データ抽出部５５は、このメッセージ２から同期情報を取得して、同期補正部５６に該同期情報を設定した後、移動局装置は、データ送受信を継続する。
【００５６】
一方、ステップＳｃ３にて、専用シグネチャが含まれていないと判定した場合は（Ｓｃ３−Ｎｏ）、上位層部６０は、シグネチャ選択部５８にランダムにシグネチャを選択するように指示する。シグネチャ選択部５８は、この指示を受けるとランダムにシグネチャを選択し、選択したシグネチャのシグネチャＩＤ番号をプリアンブル生成部５７に出力する。プリアンブル生成部５７は、このシグネチャＩＤ番号のシグネチャのプリアンブル生成し、ＤＦＴ−Ｓ−ＯＦＤＭ変調部５１に出力して送信する（Ｓｃ６）。移動局装置は、ランダムに選択したシグネチャでプリアンブルを送信すると、該プリアンブルに対する応答である図７のメッセージ２を受信する（Ｓｃ７）。移動局装置は、このメッセージ２から、同期情報とシグネチャのマッピング情報、シグネチャと新しいＣ−ＲＮＴＩ（Ｔ−Ｃ−ＲＮＴＩ）のマッピング情報、メッセージ３のスケジューリング情報を取得する。移動局装置は、取得したスケジューリング情報に従いメッセージ３を自身のＣ−ＲＮＴＩを含んで送信する（Ｓｃ８）。移動局装置は、メッセージ４を受信後（Ｓｃ９）、データ送受信を継続する。
【００５７】
このように、本実施形態では、基地局装置と移動局装置との間で上りリンクの時間の同期がとれているときには、通信のパラメータの伝送に用いられている下りリンク共用制御チャネルＰＤＣＣＨの下りリンク制御用の情報の領域に、リソース割当ての領域に「リソース割当てなし」として上りリンクの同期がとれているときの通信のパラメータと識別できるように上りリンク同期要求を配置することで、優れた無線リソースの利用効率を得ることができる。これは、上りリンク同期要求を送信するときは、必ず上りリンク再同期が必要なので、上りリンクの同期がとれているときの通信のパラメータを伝送する必要がないということと、上りリンクの同期がとれているときの通信のパラメータとして、「リソース割当てなし」を伝送することはないということを利用している。
【００５８】
さらに、下りリンク共用制御チャネルＰＤＣＣＨの物理的なフォーマットは、上りリンクの同期が取れているときの通信パラメータと、上りリンク同期要求とで共用している。このため、移動局装置の動作として、通常の下りリンク共用制御チャネルの受信過程において、データ処理によって「リソース割当てなし」を検出したときは、上りリンク同期要求であると判定すれば良く、物理的な特別な処理で上りリンク同期要求を受信する必要がない。このように移動局装置は、通常のデータ受信手続の中で上りリンク同期要求を受信できるため、基地局装置は、どのタイミングにおいても上りリンク同期要求を送信することが可能となる。
【００５９】
本実施形態において、上りリンク同期要求は、図３のようにして下りリンク制御用の情報の領域に配置したが、図１３のようにＭＣＳやペイロードサイズの領域を「０」にすることや上りリンクリソース割当ての情報を配置している１０ビットに「リソース割当てなし」を示す情報を配置することで、上りリンク同期要求であることを識別可能とし、上りリンク制御用の情報の領域に配置してもよい。また、図１４のように、下りリンク制御用の情報の領域であっても、ＭＣＳやペイロードサイズの領域を「０」にすることで、上りリンク同期要求であることを識別可能としてもよい。
また、上りリンク同期要求を、下りリンク制御用の情報の領域と、上りリンク制御用の情報の領域とのどちらでも配置できるようにしてもよい。
【００６０】
また、図４における上位層部３０、データ制御部１０、ＯＦＤＭ変調部１１、スケジューリング部１２、チャネル推定部１３、ＤＦＴ−Ｓ−ＯＦＤＭ復調部１４、制御データ抽出部１５、プリアンブル検出部１６、シグネチャ管理部１７、もしくは、図５における上位層部６０、データ制御部５０、ＤＦＴ−Ｓ−ＯＦＤＭ変調部５１、スケジューリング部５２、ＯＦＤＭ復調部５３、チャネル推定部５４、制御データ抽出部５５、同期補正部５６、プリアンブル生成部５７、シグネチャ選択部５８の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６２】
以上説明したように、本実施形態では、次のような構成を採ることができる。すなわち、本実施形態に係る基地局装置は、移動局装置との同期通信に用いるパラメータを配置する無線フレーム上の領域に、前記移動局装置に対する上りリンク同期要求を表す情報を配置したデータを生成するデータ制御部と、前記データ制御部が生成したデータを送信する送信部と、前記上りリンク同期要求を表す情報に基づいて前記移動局装置から送信される同期ずれ測定用信号を受信する受信部とを具備することを特徴とする。
【００６３】
また、本実施形態に係る基地局装置は、上述の基地局装置であって、前記データ制御部は、前記上りリンク同期要求を表す情報とともに、該同期要求を受けた前記移動局装置が送信する同期ずれ測定用信号に含める測定用信号識別情報に関する指示情報を前記領域に配置したデータを生成することを特徴とする。
【００６４】
また、本実施形態に係る基地局装置は、上述のいずれかの基地局装置であって、前記データ制御部は、前記上りリンク同期要求を表す情報とともに、該同期要求を受けた前記移動局装置が送信する同期ずれ測定用信号に含める測定用信号識別情報に関する指示情報を前記領域に配置したデータを生成することを特徴とする。
【００６５】
また、本実施形態に係る基地局装置は、上述の基地局装置であって、前記測定用信号識別情報に関する指示情報は、該測定用信号識別情報の値を指定する情報、又は該測定用信号識別情報の値の選択実施を前記移動局装置に指示する情報のいずれかであることを特徴とする。
【００６６】
また、本実施形態に係る基地局装置は、上述のいずれかの地局装置であって、前記領域は、下りリンク制御用の下りリンク共用制御チャネルであることを特徴とする。
【００６７】
また、本実施形態に係る移動局装置は、受信データのうち、基地局装置との同期通信に用いるパラメータが配置される無線フレーム上の領域を参照し、前記領域の予め決められた部分が予め決められた値になっているときは、前記値を、上りリンク同期要求を表す情報として検出する制御データ抽出部と、前記上りリンク同期要求を表す情報を検出したときは、同期ずれ測定用信号を生成する測定用信号生成部と、前記同期ずれ測定用信号を送信する送信部とを具備することを特徴とする。
【００６８】
また、本実施形態に係る移動局装置は、上述の移動局装置であって、前記制御データ抽出部は、前記上りリンク同期要求を表す情報を検出したときは、前記領域から、前記測定用信号に含める測定用信号識別情報に関する指示情報を取得することを特徴とする。
【００６９】
また、本実施形態に係る移動局装置は、上述の移動局装置であって、前記測定用信号識別情報を指示する情報は、該測定用信号識別情報の値を指定する情報、又は該測定用信号識別情報の値の選択実施を前記移動局装置に指示する情報のいずれかであり、前記測定用信号生成部は、前記測定用信号識別情報を指示する情報に従った値の測定用信号識別情報を含む前記同期ずれ測定用信号を生成することを特徴とする。
【００７０】
また、本実施形態に係る移動局装置は、上述の移動局装置であって、前記領域は、下りリンク制御用の下りリンク共用制御チャネルであることを特徴とする。
【００７１】
また、本実施形態に係る移動局装置は、上述の移動局装置であって、前記送信部は、前記同期ずれ測定用信号を、ランダムアクセスチャネルを用いて送信することを特徴とする。
【００７２】
また、本実施形態に係る上りリンク同期要求方法は、基地局装置における上りリンク同期要求方法であって、前記基地局装置が、移動局装置との同期通信に用いるパラメータを配置する無線フレーム上の領域に、前記移動局装置に対する上りリンク同期要求を表す情報を配置したデータを生成する第１の過程と、前記基地局装置が、前記第２の過程にて生成したデータを送信する第２の過程と、前記基地局装置が、前記上りリンク同期要求を表す情報に基づいて前記移動局装置から送信される同期ずれ測定用信号を受信する第３の過程とを備えることを特徴とする。
【００７３】
また、本実施形態に係る同期ずれ測定用信号送信方法は、移動局装置における同期ずれ測定用信号送信方法であって、前記移動局装置が、受信データのうち、基地局装置との同期通信に用いるパラメータが配置される無線フレーム上の領域を参照し、前記領域の予め決められた部分が予め決められた値になっているときは、前記値を、上りリンク同期要求を表す情報として検出する第１の過程と、前記移動局装置が、前記上りリンク同期要求を表す情報を検出したときは、同期ずれ測定用信号を生成する第２の過程と、前記移動局装置が、前記同期ずれ測定用信号を送信する第３の過程とを備えることを特徴とする。
【００７４】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００７５】
また、本発明は、携帯電話端末を移動局装置とする携帯電話システムに用いて好適であるが、これに限定されない。
【符号の説明】
【００７６】
１０…データ制御部  １１…ＯＦＤＭ変調部  １２…スケジューリング部  １３…チャネル推定部  １４…ＤＦＴ−Ｓ−ＯＦＤＭ変調部  １５…制御データ抽出部  １６…プリアンブル検出部  １７…シグネチャ管理部  １９…無線部  ２０…ＤＬスケジューリング部  ２１…ＵＬスケジューリング部  ３０…上位層部  ５０…データ制御部  ５１…ＤＦＴ−Ｓ−ＯＦＤＭ変調部  ５２…スケジューリング部  ５３…ＯＦＤＭ復調部  ５４…チャネル推定部  ５５…制御データ抽出部  ５６…同期補正部  ５７…プリアンブル生成部  ５８…シグネチャ選択部  ５９…無線部  ６０…上位層部
【図１】
2010011477.tif 000003
【図２】
2010011477.tif 000004
【図３】
2010011477.tif 000005
【図４】
2010011477.tif 000006
【図５】
2010011477.tif 000007
【図６】
2010011477.tif 000008
【図７】
2010011477.tif 000009
【図８】
2010011477.tif 000010
【図９】
2010011477.tif 000011
【図１０】
2010011477.tif 000012
【図１１】
2010011477.tif 000013
【図１２】
2010011477.tif 000014
【図１３】
2010011477.tif 000015
【図１４】
2010011477.tif 000016
【図１５】
2010011477.tif 000017
【図１６】
2010011477.tif 000018
【図１７】
2010011477.tif 000019
【図１８】
2010011477.tif 000020